(57)【要約】      （修正有）【課題】略重合可能な表シート及び裏シートの一方の側縁部と底縁部分の少なくとも一部とを夫々連設してなる合成樹脂製のファイル本体に、シート押え付見出し部を設けたもので、ファイル本体の表シートを簡単に開き、かつ押えることができ、ファイル本体の収容物をより安定的に保持できるシート押え付見出し部を有するファイルを提供する。【解決手段】ファイル本体１と、このファイル本体の開放部分の裏シート４に連設される可撓性を備えたシート押え付見出し部を有し、シート押え付見出し部は、開放部分の裏シート４より外方に延出した裏片６と、この裏片６の遊端縁に連設され、前記表シート３の上面側に重なるように配置した表片５からなり、表片５と裏片６の折り返し部分を溶着、表片５を山形に成形し開放端縁１０を斜めにカットする。【選択図】図４
2010269508.tif 000002
【特許請求の範囲】
【請求項１】
略重合可能な表シート及び裏シートの一方の側縁部と底縁部分の少なくとも一部とを夫々連設してなるファイル本体と、このファイル本体の開放部分の裏シートに連設される可撓性を備えたシート押え付見出し部とを設けたファイルにおいて、前記シート押え付見出し部は、開放部分の裏シートより外方に延出した裏片と、この裏片の遊端縁に連接され、前記表シートの上面側に重なるように配置した表片とからなることを特徴とするシート押え付見出し部を有するファイル。
【請求項２】
前記記載のシート押え付見出し部は、可撓性シートの略中央部分で折り返して表片と裏片を形成し、この折り返し部分を溶着したことを特徴とする請求項１に記載のシート押え付見出し部を有するファイル。  
【請求項３】
前記記載のシート押え付見出し部において、前記見出し部の表片の中央付近に側縁に対して略平行となるような位置に折り目を付け、表片を山形に成形したことを特徴とする請求項１及び２項に記載のシート押え付見出し部を有するファイル。
【請求項４】
前記記載のシート押え付見出し部において、表シート上に重なる表片の開放端縁を斜めにカットしたことを特徴とする請求項１から３の何れか１項に記載のシート押え付見出し部を有するファイル。
【請求項５】
前記記載のシート押え付見出し部を有するファイルにおいて、前記ファイル本体の表シートに、前記シート押え付見出し部の表片の先端部分を挿入するためのスリットを設けたことを特徴とする請求項１から４の何れか１項に記載のシート押え付見出し部を有するファイル。
【請求項６】
シート押え付見出しにおいて、可撓性シートの略中央部分で折り返して表片と裏片を形成し、この折り返し部分を溶着し、裏片に粘着面を有し、請求項１のファイル本体の開放部分の裏シートの内側又は外側に貼着することを特徴とするシート押え付見出し。
【請求項７】
前記記載のシート押え付見出しにおいて、前記見出しの表片の中央付近に側縁に対して略平行となるような位置に折り目を付け、表片を山形に成形したことを特徴とする請求項６に記載のシート押え付見出し。
【請求項８】
前記記載のシート押え付見出しにおいて、表片の開放端縁を斜めにカットしたことを特徴とする請求項６及び７項に記載のシート押え付見出し。
【発明の詳細な説明】
【技術分野】
【０００１】
本考案は、略重合可能な表シート及び裏シートの一方の側縁部と底縁部分の少なくとも一部とを夫々連設してなる合成樹脂製のファイル本体に、シート押え付見出し部を設けたもので、シート押えは、ファイル本体の表シートを表面側から押えることができるシート押え付見出し部を有するファイルに関するものである。          
【背景技術】
【０００２】
従来、この種のファイルとしては、例えば、特許文献１に示すようなシート押え付見出し部を有するファイルや、特許文献２に示す書類ホルダー、特許文献３に示す透明ホルダーが開示されている。
【先行技術文献】
【特許文献】
【０００３】
【特許文献１】特開２００８-２０７５２５
【特許文献２】特開２００６-２０５５６９
【特許文献３】実願昭５５-１６０６２３
【発明の概要】
【発明が解決しようとする課題】
【０００４】
ところが、文献１のシート押え付見出し部を有するファイルでは、シート押え片とファイル本体側縁部分との溶着部分が、ファイル本体の表シート側縁に近いため、ファイルに挟む書類等がA４サイズより少し大きい物や乱雑な書類を挟み難く、また表シートを開けるとき、シート押え片をほぼ直角に変形しないといけないため表シートが開け難い。文献３も同様である。
【０００５】
また、特許文献２の書類ホルダーの紙押えでは、開放部から本体の内側へ延びるように折曲加工により形成された紙押えを設けただけであるため、繰り返し使っている間に紙押えが反って、ファイル本体の表シートを押える機能が弱くなる。また、複数のファイルが重なるような場合に、後ろがわのファイルの見出し部分が視認できない難点があった。
【０００６】
そこで、本発明は、ファイルの表シートを簡単に開き、かつ確実に押えることができ、ファイル本体の収容物をより安定的に保持できるシート押え付見出し部を有するファイルを提供すべく創出されたものである。
【課題を解決するための手段】
【０００７】
上記課題を解決するために、本発明のシート押え付見出し部を有するファイルでは、略重合可能な表シート及び裏シートの一方の側縁部と底縁部分の少なくとも一部とを夫々連設してなるファイル本体と、このファイル本体の開放部分の裏シートに連設される可撓性を備えたシート押え付見出し部とを設けたファイルにおいて、前記シート押え付見出し部は、開放部分の裏シートより外方に延出した裏片と、この裏片の遊端縁に連接され、前記表シートの上面側に重なるように配置した表片とからなる。
【０００８】
また、シート押え付見出し部は、可撓性シートの略中央部分で折り返して表片と裏片を形成し、この折り返し部分を溶着する。また、表片の中央付近に側縁に対して略平行となるような位置に折り目を付け、表片を山形に成形する。また、表片の開放端縁を斜めにカットする。
【０００９】
また、ファイル本体の表シートに、前記シート押え付見出し部の表片の先端部分を挿入するためのスリットを設け、前記表片を表シートに係止状態に保持する。
【００１０】
本発明のシート押え付見出しでは、可撓性シートの略中央部分で折り返して表片と裏片を形成し、この折り返し部分を溶着し、裏片に粘着面を有し、前記ファイル本体の開放部分の裏シートの内側又は外側に貼着する。また、表片の中央付近に側縁に対して略平行となるような位置に折り目を付け、表片を山形に成形する。また、表片の開放端縁を斜めにカットする。
【発明の効果】
【００１１】
従って、本発明は、シート押え片によって、ファイル本体の表シートを表面側から押えることができるようになり、表シートが不意の外力等によって簡単に開いてしまうようなことがなくなり、ファイル本体内の収容物を安定的に保持できるようになる。
【００１２】
また、見出し部本体の表片と裏片の折り返し部分を溶着したことにより、ファイル本体の表シートを表面側から更に確実に押えることができ、また表シートを開けるとき、溶着部分が、表シート側縁より離れているため、裏片の変形がわずかでよいため開き易くなる。即ち、図５-Aに示すように本発明は、わずかな操作でシート押え付見出しの表片遊端部を開くことができ、裏片の変形がわずかでよいので表シートを開き易い。また、図５-Bは、文献１のシート押え付見出しの表片の開放操作を示しているが、溶着部が表シート側縁に近いため、表片をほぼ直角に開かないといけないので、裏シートと裏片の変形が大きくなり表シートを開き難い。
【００１３】
また、見出し部の表片の中央付近に側縁に対して略平行となるような位置に折り目を付け、表片を山形に成形したことにより、見出し部の表片が、繰り返し使っている間に反ってファイル本体の表シートを押える機能が弱くなることを防ぐことができる。
【００１４】
また、ファイル本体の表シートを開けると、開放部は下方に行くに従って開放部の幅が漸次短くなるような傾斜状態となるため、表片の開放端縁を斜めにカットすることにより、シート押えの表片の開放端縁が、ファイル本体の表シート３と干渉しずらくなり、ファイル本体の表シートをスムーズに開くことができる。
【００１５】
また、ファイル本体の表シートに、前記シート押え付見出し部の表片の先端部分を挿入するためのスリットを設け、前記表片を表シートに係止状態に保持することにより、ファイル本体の表シートを表面がわから更に確実に押えることができ、ファイル本体内の収容物をより安定的に保持できるようになる。
【００１６】
また、シート押え付見出しによれば、可撓性シートの略中央部分で折り返して表片と裏片を形成し、この折り返し部分を溶着し、裏片に粘着面を有し、前記ファイル本体の開放部分の裏シートの内側又は外側に貼着することにより、ファイル本体の開放部分の任意の位置に、シート押え付見出を貼着できるので、複数のファイルが重なるような場合にでも、後ろがわのファイルの見出し部分が視認できる。
【図面の簡単な説明】
【００１７】
【図１】本発明の実施形態１を示す平面図である。
【図２】本発明の実施形態２を示す平面図である。
【図３】本発明の実施形態２のa-a断面図である。
【図４】図２に示すシート押え付見出しをファイルに取り付けた斜視図である。
【図５−Ａ】本発明のシート押え付見出し表片の開放操作を示す説明図である。
【図５−Ｂ】文献１のシート押え付見出し表片の開放操作を示す説明図である。
【発明を実施するための形態】
【００１８】
以下、本発明の実施形態について図面を参照して説明する。
【００１９】
（実施形態１）
図１は、本発明の実施形態１を示し、シート押え付見出し部を有するファイルである。
【００２０】
シート押え付見出し部を有するファイルは、略重合可能な表シート３及び裏シート４の一方の側縁部と底縁部分の少なくとも一部とを夫々連設してなるファイル本体１と、このファイル本体の開放部分の裏シート４に連設される可撓性を備えたシート押え付見出し部２とからなるものである。
前記シート押え付見出し部２は、ファイル本体の開放部分の裏シート４より外方に延出した裏片６と表シート３の上面側に重なるように配置した表片から形成されている。このことにより表シート３が不意の外力等によって簡単に開いてしまうようなことがなくなり、ファイル本体内の収容物を安定的に保持できるようになる。
【００２１】
また、前記見出し部本体２の表片５と裏片６の折り返し部分を溶着している。
溶着部７がファイル本体の開放側縁より離れた位置にあることにより、ファイル本体１の表シート３を開くとき裏片５の変形角度が少しでよいため、ファイルが開き易い。
【００２２】
また、前記見出し部２の表片５の中央付近は、見出し部の表片５が、繰り返し使っている間に反ることを防ぐため、側縁に対して略平行となるような位置に折り目８を付けて表片５を山形に成形している。
【００２３】
また、ファイル本体１の表シート３を開けるとき、表片５がファイル本体の表シート３に引っかからなくスムーズに開けやすくするために、表片５の開放端縁１０を斜めにカットしている。
【００２４】
また、ファイル本体１の表シート３を表面がわから更に確実に押え、ファイル本体内の収容物をより安定的に保持するために、ファイル本体１の表シート３には、前記シート押え付見出し部２の表片５の先端部分を挿入するためのスリット９を設け、前記表片５を表シート３に係止状態に保持している。
【００２５】
（実施形態２）
図２、図３において、シート押え付見出し２aは、裏片６に粘着面と剥離紙１１を備えファイル本体１に貼着する。ファイル本体の開放部分の任意の位置に、シート押え付見出し２aを貼着できるため、複数のファイルが重なるような場合にでも、後ろがわのファイルの見出し部分が視認できる。シート押え付見出し２aの構成は、前記シート押え付見出し部２と同様である。
【００２６】
図４は、シート押え付見出し２aをファイル本体１に貼着した斜視図である。ファイル本体１の開放部が開いて、下方に行くに従って開放部１２の幅が漸次短くなるような傾斜状態となっている。シート押え付見出し２aの表片５の開放端部１０を斜めにカットすることにより、表シート３と干渉しずらくなり、スムーズにファイルを開くことができる。
【００２７】
図５-Aは、シート押え付見出し表片５の開放操作を示す。シート押え付見出し２aは、ある程度の可撓性を備えており、シート押え付見出し２a自体が無理なく変形できるように形成されている。裏片６をわずかに変形するだけで表片遊端部を開くことができる。
【符号の説明】
【００２８】
１  ファイル本体
２  シート押え付見出し部
２aシート押え付見出し
３  表シート
４  裏シート
５  表片
６  裏片
７  溶着部
８  山形折線
９  スリット
１０斜めカット端縁
１１剥離紙
１２開放部
【図１】
2010269508.tif 000003
【図２】
2010269508.tif 000004
【図３】
2010269508.tif 000005
【図４】
2010269508.tif 000006
【図５−Ａ】
2010269508.tif 000007
【図５−Ｂ】
2010269508.tif 000008
【手続補正書】
【提出日】平成21年8月25日(2009.8.25)
【手続補正１】
【補正対象書類名】特許請求の範囲
【補正対象項目名】全文
【補正方法】変更
【補正の内容】
【特許請求の範囲】
【請求項１】
略重合可能な表シート及び裏シートの一方の側縁部と底縁部分の少なくとも一部とを夫々連設してなるファイル本体と、このファイル本体の開放部分の裏シートに連設される可撓性を備えたシート押え付見出し部とを設けたファイルにおいて、前記シート押え付見出し部は、開放部分の裏シートより外方に延出した裏片と、この裏片の遊端縁に連接され、前記表シートの上面側に重なるように配置した表片とからなり、前記シート押え付見出し部は、可撓性シートの略中央部分で折り返して表片と裏片を形成し、この折り返し部分を溶着したことを特徴とするシート押え付見出し部を有するファイル。  
【請求項２】
前記記載のシート押え付見出し部において、前記見出し部の表片の中央付近に側縁に対して略平行となるような位置に折り目を付け、表片を山形に成形したことを特徴とする請求項１に記載のシート押え付見出し部を有するファイル。
【請求項３】
前記記載のシート押え付見出し部において、表シート上に重なる表片の開放端縁を斜めにカットしたことを特徴とする請求項１または２項に記載のシート押え付見出し部を有するファイル。
【請求項４】
前記記載のシート押え付見出し部を有するファイルにおいて、前記ファイル本体の表シートに、前記シート押え付見出し部の表片の先端部分を挿入するためのスリットを設けたことを特徴とする請求項１から３の何れか１項に記載のシート押え付見出し部を有するファイル。
【請求項５】
シート押え付見出しにおいて、可撓性シートの略中央部分で折り返して表片と裏片を形成し、この折り返し部分を溶着し、裏片に粘着面を有し、請求項１のファイル本体の開放部分の裏シートの内側又は外側に貼着することを特徴とするシート押え付見出し。
【請求項６】
前記記載のシート押え付見出しにおいて、前記見出しの表片の中央付近に側縁に対して略平行となるような位置に折り目を付け、表片を山形に成形したことを特徴とする請求項５に記載のシート押え付見出し。
【請求項７】
前記記載のシート押え付見出しにおいて、表片の開放端縁を斜めにカットしたことを特徴とする請求項５または６項に記載のシート押え付見出し。
【手続補正書】
【提出日】平成21年10月27日(2009.10.27)
【手続補正１】
【補正対象書類名】明細書
【補正対象項目名】０００１
【補正方法】変更
【補正の内容】
【０００１】
本考案は、重合可能な表シート及び裏シートの一方の側縁部と底縁部分の少なくとも一部とを夫々連設してなる合成樹脂製のファイル本体に、シート押え付見出し部を設けたもので、シート押えは、ファイル本体の表シートを表面側から押えることができるシート押え付見出し部を有するファイルに関するものである。
【手続補正２】
【補正対象書類名】明細書
【補正対象項目名】０００７
【補正方法】変更
【補正の内容】
【０００７】
上記課題を解決するために、本発明のシート押え付見出し部を有するファイルでは、重合可能な表シート及び裏シートの一方の側縁部と底縁部分の少なくとも一部とを夫々連設してなるファイル本体と、このファイル本体の開放部分の裏シートに連設される可撓性を備えたシート押え付見出し部とを設けたファイルにおいて、前記シート押え付見出し部は、開放部分の裏シートより外方に延出した裏片と、この裏片の遊端縁に連接され、前記表シートの上面側に重なるように配置した表片とからなる。
【手続補正３】
【補正対象書類名】明細書
【補正対象項目名】０００８
【補正方法】変更
【補正の内容】
【０００８】
また、シート押え付見出し部は、可撓性シートの表片と裏片の遊端縁を溶着する。また、表片の中央付近に側縁に対して略平行となるような位置に折り目を付け、表片を山形に成形する。また、表片の開放端縁を斜めにカットする。
【手続補正４】
【補正対象書類名】明細書
【補正対象項目名】００１２
【補正方法】変更
【補正の内容】
【００１２】
また、見出し部本体の表片と裏片の遊端縁を溶着したことにより、ファイル本体の表シートを表面側から更に確実に押えることができ、また表シートを開けるとき、溶着部分が、表シート側縁より離れているため、裏片の変形がわずかでよいため開き易くなる。即ち、図５-Aに示すように本発明は、わずかな操作でシート押え付見出しの表片遊端部を開くことができ、裏片の変形がわずかでよいので表シートを開き易い。また、図５-Bは、文献１のシート押え付見出しの表片の開放操作を示しているが、溶着部が表シート側縁に近いため、表片をほぼ直角に開かないといけないので、裏シートと裏片の変形が大きくなり表シートを開き難い。
【手続補正５】
【補正対象書類名】明細書
【補正対象項目名】００２０
【補正方法】変更
【補正の内容】
【００２０】
シート押え付見出し部を有するファイルは、重合可能な表シート３及び裏シート４の一方の側縁部と底縁部分の少なくとも一部とを夫々連設してなるファイル本体１と、このファイル本体の開放部分の裏シート４に連設される可撓性を備えたシート押え付見出し部２とからなるものである。
前記シート押え付見出し部２は、ファイル本体の開放部分の裏シート４より外方に延出した裏片６と表シート３の上面側に重なるように配置した表片から形成されている。このことにより表シート３が不意の外力等によって簡単に開いてしまうようなことがなくなり、ファイル本体内の収容物を安定的に保持できるようになる。
【手続補正６】
【補正対象書類名】明細書
【補正対象項目名】００２１
【補正方法】変更
【補正の内容】
【００２１】
また、前記見出し部本体２の表片５と裏片６の遊端縁を溶着している。
溶着部７がファイル本体の開放側縁より離れた位置にあることにより、ファイル本体１の表シート３を開くとき裏片５の変形角度が少しでよいため、ファイルが開き易い。
【手続補正７】
【補正対象書類名】特許請求の範囲
【補正対象項目名】請求項１
【補正方法】変更
【補正の内容】
【請求項１】
重合可能な表シート及び裏シートの一方の側縁部と底縁部分の少なくとも一部とを夫々連設してなるファイル本体と、このファイル本体の開放部分の裏シートに連設される可撓性を備えたシート押え付見出し部とを設けたファイルにおいて、前記シート押え付見出し部は、開放部分の裏シートより外方に延出した裏片と、この裏片の遊端縁に連接され、前記表シートの上面側に重なるように配置した表片とからなり、前記遊端部で表片と裏片とを溶着したことを特徴とするシート押え付見出し部を有するファイル。